(57)【要約】      （修正有）【課題】自宅や店舗や会社や工場などの施設の防犯対策として、不審者を威嚇し退去させることができる小型無人航空機による警備監視システムを提供する。【解決手段】施設の周囲に配備した赤外線監視装置２が動物や不審者の侵入を感知して屋内の警備監視装置６に感知信号が送信され、監視カメラ４と警報装置（例えば、警報音や警告音声）５を搭載した小型無人航空機３で感知現場に急行して監視カメラで状況を確認したり警報装置で不審者を威嚇して退去させる機能、警備監視装置に内蔵された自動監視機能に設定することで夜間や不在時でも小型無人航空機を自動的に無線操作して感知現場に急行して感知現場を録画したり不審者を威嚇して退去させる機能、警備監視装置に内蔵された自動監視機能に設定することで携帯電話へ監視情報を送信でき監視したり録画したり小型無人航空機を操縦したり不審者を威嚇して退去させたりできる機能を有する。【選択図】図１
0003210413.tif 000002
【実用新案登録請求の範囲】
【請求項１】
警備監視装置により小型無人航空機を無線操縦することで、搭載の監視カメラで、動物や不審者の侵入状況を監視したり、侵入者や侵入状況を録画することができる。装備された警報装置で不審者を威嚇し退去させることができる。夜間や不在時には、警備監視装置により小型無人航空機を自動的に無線操縦することで、動物や不審者の侵入状況を監視したり、侵入者や侵入状況を録画したり、不審者を威嚇し退去させることができる。警備監視装置により携帯電話へ監視情報を送信でき監視や録画をしたり、小型無人航空機を操縦したり、警報装置を作動させ不審者を威嚇し退去させることができる特徴をもつ小型無人航空機による警備監視システム。
【考案の詳細な説明】
【技術分野】
【０００１】  本考案は、自宅や店舗や会社や工場などの施設の防犯対策のために配備する小型無人  航空機による警備監視システムに関するものである。尚、本考案の説明において、小型無人  航空機による警備監視システムと警備監視システムとは同義語であって、以下の説明では、本願の小型無人航空機による警備監視システムを単に警備監視システムと表現することがある。
【背景技術】
【０００２】  自宅や店舗や会社や工場などの施設の防犯対策として、警備会社の警備システムなどがあるが、動物の侵入などで警備システムが作動して出動する事態があると共に、不審者の侵入などで警備システムが作動して警備員が警備対象先に駆けつけるために一定の時間が掛かるため、緊急な対応が困難である。
【先行技術文献】
【０００３】
【特許文献１】特開２００２−２４５５７２号  公報
【考案の概要】
【考案が解決しようとする課題】
【０００４】  本考案は、自宅や店舗や会社や工場などの施設の防犯対策として、警備会社の警備システムなどがあるが、動物の侵入などで警備システムが作動して出動する事態があると共に、不審者の侵入などで警備システムが作動して警備員が警備対象先に駆けつけるために一定の時間が掛かるため、緊急な対応が困難であるという問題がある。【０００５】  本考案は、自宅や店舗や会社や工場などの施設の防犯対策として、施設の周囲に配備された赤外線監視装置により動物や不審者の侵入などを感知して、監視カメラを搭載した小型無人航空機で感知現場に急行して、状況を確認すると共に、小型無人航空機に装備された警報装置（例えば、警報音や警告音声）を作動させ不審者を威嚇し退去させることができる小型無人航空機による警備監視システムを提供することを目的としている。
【課題を解決するための手段】
【０００６】  本考案は、上記課題を解決するための手段として次の構成を有している。
尚、本考案は、動物や不審者の侵入などの発生時に適用される小型無人航空機による警備監視システムを対象としている。【０００７】  本考案に係る小型無人航空機による警備監視システムは、施設の周囲に配備された赤外線監視装置により動物や不審者の侵入などを感知して、監視カメラを搭載した小型無人航空機で感知現場に急行して、状況を確認できる機能を有している。【０００８】  本考案に係る小型無人航空機による警備監視システムは、小型無人航空機に装備された警報装置（例えば、警報音や警告音声）を作動させて、不審者を威嚇し退去させる機能を有している。【０００９】  上記の警備監視システムの施設内に設置された警備監視装置は、赤外線監視装置の感知信号が警備監視装置に送信されることで、敷地内に設置された格納庫にある小型無人航空機を無線操縦により感知現場に急行させることができる。【００１０】  上記の警備監視システムの施設内に設置された警備監視装置は、小型無人航空機に無線操作により装備された警報装置（例えば、警報音や警告音声）を作動させて、不審者を威嚇し退去させると共に、搭載した監視カメラで感知現場をモニター画面で監視したり、録画したりすることができる。【００１１】  上記の警備監視システムの施設内に設置された警備監視装置は、夜間や不在時には、小型無人航空機を自動的に無線操縦して感知現場に急行したり、警報装置を作動させ威嚇し退去させたり、監視カメラで感知現場を録画したりすることができると共に、携帯電話に監視情報を送信でき監視したり、小型無人航空機を操縦したり、警報装置（例えば、警報音や警告音声）を作動させ、不審者を威嚇し退去させることができる。
【考案の効果】
【００１２】  本考案の警備監視システムでは、敷地内に設置された赤外線監視装置で感知された感知現場へ小型無人航空機で急行することにより、動物や不審者などの侵入を搭載の監視カメラで監視できると共に、装備された警報装置（例えば、警報音や警告音声）により不審者を威嚇し退去させることで窃盗被害を回避できると共に、もし不審者が施設内に侵入することがあっても侵入者や侵入状況を録画できるため事件の解決にも貢献できるという効果がある。
【図面の簡単な説明】
【００１３】
【図１】  本考案の小型無人航空機による警備監視システムの展開図
【考案を実施するための形態】
【００１４】  図１を参照して本考案の実施例を説明すると、この実施例の警備監視システムは、小型無人航空機により動物や不審者の侵入状況を監視したり、不審者を威嚇し退去させたり、侵入者や侵入状況を録画するためのシステムとして製作されたものである。
【実施例】
【００１５】  図１にある警備監視システム１は、敷地内に設置された赤外線監視装置２で動物や不審者の侵入が感知された感知現場へ小型無人航空機３が急行し、搭載の監視カメラ４で監視すると共に、侵入者や侵入状況を録画することができる。【００１６】  図１にある警備監視システム１は、小型無人航空機３に装備された警報装置５により不審者を威嚇し退去させることができる。【００１７】  図１にある警備監視システム１は、施設内に設置された警備監視装置６により赤外線監視装置２の感知信号に基づき、小型無人航空機３を感知現場に急行させ、搭載の監視カメラ４で監視し、録画すると共に、警報装置５により不審者を威嚇し退去させるなどの操作をすることができる。【００１８】  図１にある警備監視システム１は、夜間や不在時にも小型無人航空機３を自動的に無線操縦して感知現場へ急行したり、監視カメラ４で監視し録画したり、警報装置５で不審者を威嚇し退去させる自動操作機能を有している。
又、携帯電話に監視情報を送信でき監視したり、小型無人航空機３を操縦したり、警報装置５を作動させ、不審者を威嚇し退去させる機能も有している。
【符号の説明】
【００１９】  １は警備監視システム、２は赤外線監視装置、３は小型無人航空機、４は監視カメラ、５は警報装置、６は警備監視装置である。
【図１】
0003210413.tif 000003
【手続補正書】
【提出日】平成29年2月21日(2017.2.21)
【手続補正１】
【補正対象書類名】実用新案登録請求の範囲
【補正対象項目名】全文
【補正方法】変更
【補正の内容】
【実用新案登録請求の範囲】
【請求項１】
施設の周囲に配備した赤外線監視装置が動物や不審者の侵入を感知して屋内の警備監視装置に感知信号が送信され格納庫の監視カメラと警報装置を搭載した小型無人航空機で感知現場に急行して監視カメラで状況を確認したり警報装置で不審者を威嚇して退去させる機能、警備監視装置に内臓された自動監視機能に設定することで夜間や不在時でも小型無人航空機を自動的に無線操作して感知現場に急行して感知現場を録画したり不審者を威嚇して退去させる機能、警備監視装置に内蔵された自動監視機能に設定することで携帯電話へ監視情報を送信でき監視したり録画したり小型無人航空機を操縦したり不審者を威嚇して退去させたりできる機能を有する小型無人航空機による警備監視システム。